【事件の表示】
　特許第２７７７０７９号「施肥装置付き乗用型田植機」の特許に対する特許異議の申立てについて、次のとおり決定する。
【結　論】
　訂正を認める。
　特許第２７７７０７９号の特許を維持する。
【理　由】
１.手続の経緯
　本件特許第２７７７０７９号の出願は、昭和５８年４月３０日に出願した実願昭５８−６６１２３号を平成１年１１月３０日に出願変更した特願平１−３１２８０３号の一部を新たな特許出願としたものであって、平成１０年５月１日にその特許の設定登録がなされ、その後、特許異議の申立がなされ、取消理由通知をなしたところ、その指定期間内の平成１２年１月３１日に訂正請求がなされたものである。
　
２.訂正の適否
 イ）訂正請求の内容
　訂正事項ａ
　訂正前の特許明細書の特許請求の範囲の「該肥料送出装置１４により送り出された肥料を移送する移送ホース７６と・・・肥料送出装置１４から送り出された肥料が送り込まれる移送ホース７６の前端部を機体側面視で後輪５の上端位置より上方に位置させてここから移送ホース７６を機体後方に延出する構成とし、」との記載を、「該肥料送出装置１４により送り出された肥料を重力と風力により運んで圃場に向けて移送する移送ホース７６と・・・肥料送出装置１４から送り出された肥料が送り込まれる移送ホース７６の前端部を機体側面視で後輪５の上端位置より上方に位置させ、該移送ホース７６の前端部を肥料送出装置１４から送り出された肥料を移送ホース７６内に導く送込装置７５の機体側面視で前後に延びる接続管７９の後端部に接続して、ここから移送ホース７６を機体後方に延出する構成とし、」と訂正する。
　訂正事項ｂ
　訂正前の特許明細書の段落【０００３】の【課題を解決するための手段】の項の「該肥料送出装置１４により送り出された肥料を移送する移送ホース７６と・・・肥料送出装置１４から送り出された肥料が送り込まれる移送ホース７６の前端部を機体側面視で後輪５の上端位置より上方に位置させてここから移送ホース７６を機体後方に延出する構成とし、」との記載を、「該肥料送出装置１４により送り出された肥料を重力と風力により運んで圃場に向けて移送する移送ホース７６と・・・肥料送出装置１４から送り出された肥料が送り込まれる移送ホース７６の前端部を機体側面視で後輪５の上端位置より上方に位置させ、該移送ホース７６の前端部を肥料送出装置１４から送り出された肥料を移送ホース７６内に導く送込装置７５の機体側面視で前後に延びる接続管７９の後端部に接続して、ここから移送ホース７６を機体後方に延出する構成とし、」と訂正する。
　訂正事項ｃ
  訂正前の特許明細書の段落【０００４】の【発明の作用及び効果】の項の「肥料送出装置１４から送り出された肥料が送り込まれる移送ホース７６の前端部を機体側面視で後輪５の上端位置より上方に位置させてここから移送ホース７６を機体後方に延出する構成とし、」との記載を、「肥料送出装置１４から送り出された肥料が送り込まれる移送ホース７６の前端部を機体側面視で後輪５の上端位置より上方に位置させ、該移送ホース７６の前端部を肥料送出装置１４から送り出された肥料を移送ホース７６内に導く送込装置７５の機体側面視で前後に延びる接続管７９の後端部に接続して、ここから移送ホース７６を機体後方に延出する構成とし、」と訂正する。
　
 ロ）訂正目的の適否
　上記訂正事項ａの訂正は、訂正前の特許明細書の特許請求の範囲に記載された「移送ホース７６」及び「移送ホース７６を機体後方に延出する」の構成を限定するものであって、特許請求の範囲の減縮に相当するものであり、また、上記訂正事項ｂ、ｃの訂正は、上記特許請求の範囲の訂正に整合させて発明の詳細な説明の記載をそれぞれ訂正するものであって、明りようでない記載の釈明に相当する。
　
 ハ）新規事項及び拡張・変更について
　本件の特許明細書の段落【００１６】には「一方、移送ホース７６にはエアタンク７０からエアが供給されているので、移送ホース７６内に送り込まれた肥料は、重力と、風力によって下方へ運ばれ、作溝器８０によって圃場に形成された溝内に確実に落し込まれるのである」の記載があり、又、段落【００１１】には「送込装置７５は、肥料送出装置１４によって送り出されてくる肥料を移送ホース７６,７６…内に導くためのもので、ホッパ１６の出口に臨む受器７７と接続管７９からなる。接続管７９の両端部にはエアーホース７２と移送ホース７６がそれぞれ接続され、外周部には受器７７が接続される。」の記載があり、そして、図１の側面図中には、符号７５、７９を付して「送込装置７５」と「接続管７９」についての記載があるから、これらの記載によれば「移送ホース７６の前端部」を「送込装置７５の機体側面視で前後に延びる接続管７９の後端部に接続し」た事項は図１に記載されている。
　これらによれば、訂正事項ａ,ｂ,ｃは、特許明細書の段落【００１６】、【００１１】及び図１に記載された事項の範囲内においてなされたものであり、又、実質上特許請求の範囲を拡張し、又は変更するものではない。
　
 ニ）独立特許要件について
（本件発明）
　訂正請求された特許明細書の特許請求の範囲に記載された発明（以下、本件発明という）は、次のとおりである。
「前輪６と後輪５を備えた乗用型走行車体１の後部にローリング動可能に田植装置４０を装着した乗用型田植機に、肥料タンク１３と該肥料タンク１３から肥料を所定量づつ送り出す肥料送出装置１４と該肥料送出装置１４により送り出された肥料を重力と風力により運んで圃場に向けて移送する移送ホース７６と該移送ホース７６により移送されてきた肥料を圃場に施す施肥部８０とからなる施肥装置を装着した施肥装置付き乗用型田植機おいて、田植装置４０に施肥部８０を配置し、乗用型走行車体１の後部に肥料タンク１３と肥料送出装置１４を配置し、肥料送出装置１４から送り出された肥料が送り込まれる移送ホース７６の前端部を機体側面視で後輪５の上端位置より上方に位置させ、該移送ホース７６の前端部を肥料送出装置１４から送り出された肥料を移送ホース７６内に導く送込装置７５の機体側面視で前後に延びる接続管７９の後端部に接続して、ここから移送ホース７６を機体後方に延出する構成とし、機体平面視で後輪５の左右近傍に位置する移送ホース７６は機体側面視で後輪５の外周上方に位置する構成としたことを特徴とする施肥装置付き乗用型田植機。」
　
（先願明細書記載の発明）
　取消理由通知で引用した先願明細書（実願昭５７−９８０４１号〈実開昭５９−４２２０号〉のマイクロフイルム参照）には、
「乗用形機体側に肥料タンクを装備すると共に、この乗用形機体に連結された植付作業機側に肥料埋込み器を取付て、上記肥料タンクから肥料埋込み器に肥料を供給すべくした田植機において、上記肥料クンクを操縦席の側部に設置すると共に該タンク上面を補助座席として用いるようにしたことを特徴とする乗用形施肥田植機。」（実用新案登録請求の範囲）、
「第１図および第２図は８条植えを行なう田植機を示し、図中１は乗用形の機体であり、この機体１に走行装置として左右一対ずつの前輪２および後輪３が設けられると共に、該機体１の上部は操縦部とされて操縦座席４、ハンドル５、各種の操作レバー６等が装備され、また該機体１の前部にエンジン７が搭載されると共に、このエンジン７を挟む機体両側部に後記する構造を具備する予備苗収納ラック８が取付けられている。一方、上記機体１の後尾に昇降用リンク機構９を介し苗植付作業機１０が連結され、該作業機１０に機体１側から動力を入力軸１１を経て受取る駆動装置１２、該駆動装置１２によつて横方向に往復動せしめられる苗のせ台１３,１３ａ、同じく駆動装置１２にて駆動される植付爪機構１４等が一体的に装備されている。
１５はこの苗植付作業機１を植付泥面上に保持するフロートである。また施肥装置１６は肥料クンク１７、肥料埋込み器１８、および肥料タンク１７底部の肥料繰出し部１９と肥料埋込み器１８とを連通接続する肥料給送用ホース２０を含み、この施肥装置１６が左右一対装備され、且つ各施肥装置１６における上記埋込み器１８が前述のフロート１５の前方部に取付けられると共に、肥料クンク１７が機体１側において、操縦座席４を挟む両側部で、且つ機体フレ-ム２１の上面に突出的に固着され、この肥料タンク１７の上面に座席シート２２を設置する等して該タンク１７により補助座席が構成されている。」（３頁１５行〜５頁４行）、の記載がある。
　また、第１図には、肥料給送用ホース２０を、肥料繰出し部１９の下端部から機体下方に機体側面視車輪外周付近で後方に向かって屈曲するように延出した構成、の記載がある。
　これらの記載によれば、先願明細書には、前輪２と後輪３を備えた乗用形機体１の後部に苗植付作業機１０を装着した乗用形施肥田植機に、肥料タンク１７と該肥料タンク１７から肥料を所定量づつ送り出す肥料繰出し部１９と該肥料繰出し部１９により送り出された肥料を移送する肥料給送用ホース２０と、該肥料給送用ホース２０により移送されてきた肥料を圃場に施す肥料埋込み器１８とからなる施肥装置を装着した乗用形施肥田植機おいて、苗植付作業機１０に肥料埋込み器１８を配置し、乗用形機体１の後部に肥料タンク１７と肥料繰出し部１９を配置し、肥料繰出し部１９から送り出された肥料が送り込まれる肥料給送用ホース２０を、肥料繰出し部１９の下端部から機体下方に機体側面視車輪外周付近で後方に向かって屈曲するように延出し、その前端部を機体側面視で後輪３の外周より離れて後輪３のほぼ上端位置の高さに位置させてここから肥料給送用ホース２０を機体後方に延出する構成とし、機体平面視で後輪３の左右近傍に位置する肥料給送用ホース２０は機体側面視で後輪３の外周上方に位置する構成とした乗用形施肥田植機の発明が記載されている。
　
（対比・判断）
　本件発明と、先願明細書記載の発明（以下、先願発明という）とを対比すると、先願発明の「乗用形機体１」、「植付作業機１０」、「乗用形施肥田植機」、「肥料繰出し部１９」、「肥料給送用ホース２０」、「肥料埋込み器１８」は、それぞれ本件発明の「乗用型走行車体１」、「田植装置４０」、「施肥装置付き乗用型田植機」、「肥料送出装置１４」、「移送ホース７６」、「施肥部８０」に相当するから、両者は、前輪と後輪を備えた乗用型走行車体の後部に田植装置を装着した乗用型田植機に、肥料タンクと該肥料タンクから肥料を所定量づつ送り出す肥料送出装置と該肥料送出装置により送り出された肥料を移送する移送ホースと、該移送ホースにより移送されてきた肥料を圃場に施す施肥部とからなる施肥装置を装着した施肥装置付き乗用型田植機おいて、田植装置に施肥部を配置し、乗用型走行車体の後部に肥料タンクと肥料送出装置を配置し、肥料送出装置から送り出された肥料が送り込まれる移送ホースの前端部を機体側面視で後輪の外周より離れて位置させてここから移送ホースを機体後方に延出する構成とし、機体平面視で後輪の左右近傍に位置する移送ホースは機体側面視で後輪の外周上方に位置する構成とした施肥装置付き乗用型田植機である点で一致し、
　１）本件発明が乗用機体の後部に田植装置を装着する構成において、本件発明がローリング動可能にしたのに対し、先願発明はローリング動可能に構成したことが明示されていない点、
　２）移送ホースの前端部を機体側面視で後輪の外周より離れて位置させた構成において、本件発明が後輪の上端位置より上方に位置させているのに対し、先願発明は後輪のほぼ上端位置の高さに位置させている点、
　３）肥料送出装置により送り出された肥料を移送する移送ホースが、本件発明は、重力と風力により運んで圃場に向けて移送するものであるのに対し、先願発明は、そのように構成したものであるかどうかは不明である点、
　４）本件発明が、移送ホースの前端部を肥料送出装置から送り出された肥料を移送ホース内に導く送込装置の機体側面視で前後に延びる接続管の後端部に接続して、ここから移送ホースを機体後方に延出するように構成したものであるのに対し、先願発明は、肥料送出装置の下端部から移送ホースが機体下方に延出し機体側面視車輪外周付近で後方に向かって屈曲するように構成したものである点、
で相違する。
　
　相違点１）について検討すると、田植装置を車体後部にローリング動可能に装着した施肥装置付き乗用型田植機は、周知技術（例えば、特開昭５６−１０２７１３号公報（参考資料１）、特開昭５６−１３７８０８号公報（参考資料２）等参照）であって、その周知技術に照らしてみれば、上記第１図に記載の、乗用形機体１の後部の昇降用リンク機構９と苗植付作業機１０の装着構造は、苗植付作業機１０がローリング動可能な装着構造であることは明かである。
　相違点２）について検討すると、本件発明も先願発明も、移送ホースの前端部を機体側面視で後輪の外周より離れて位置させたことで、田植装置のローリングによって移送ホースが後輪に接触しないようになしていることで共通し、上記相違点の、後輪の上端位置より上方に位置させるか後輪のほぼ上端位置の高さに位置させるかは、当業者が自由に選択できる程度事項であると共に、効果に格別の差異が生じるとも認められないから、上記相違点は、単なる設計上の微差に基づくものとと認める。
　相違点３）、４）を検討すると、本件発明は、重力と風力によって肥料を運んで圃場に向けて移送し施肥する構成とし、且つ、移送ホースの前端部を肥料送出装置から送り出された肥料を移送ホース内に導く送込装置の機体側面視で前後に延びる接続管の後端部に接続して、ここから移送ホースを機体後方に延出する構成としたことにより、先願発明より低い位置に肥料送出装置を配置できて、施肥装置付き乗用型田植機をコンパクトに構成できるのに対し、先願発明は、肥料送出装置の下端部から移送ホースが機体下方に延出し機体側面視車輪外周付近で後方に向かって屈曲するように構成したものであるので、田植装置がローリング動したとき移送ホースが後輪に接触しないようにするため肥料送出装置を上方に高い位置に配置しなければならず、従って、機体をコンパクトに構成しにくいものであると認められる。
　したがって、本件発明は、相違点３）、４）の構成を具備する点において、先願発明と同一ではない。
　よって、本件発明は、特許出願の際、独立して特許を受けることができるものである。
　
 ホ）むすび
　以上のとおりであるから、上記訂正は特許法等の一部を改正する法律（平成６年法律第１１６号。以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。
　
３.特許異議申立てについて
 イ）申立ての理由の概要
　特許異議申立人三菱農機株式会社は、下記の甲第１号証及び参考資料１〜６を提出して、訂正前の本件発明は、先願発明（甲第１号証参照）と実質的に同一であるから、特許法第２９条の２の規定に違反して特許されたものであり、当該特許は取り消されるべきである旨主張している。
　
 ロ）提出証拠の記載事項
　甲第１号証（実願昭５７−９８０４１号（実開昭５９−４２２０号）のマイクロフイルム）には、上記「（先願明細書記載の発明）」に述べたとおりの発明が記載されている。
　参考資料１（特開昭５６−１０２７１３号公報）には、
「この四連リンク機構（３）に対して前記植付け装置（２）をその接地フロート（１７）の接地面近傍を支点としてローリング自在に懸架させる正面視逆台形状の吊下げリンク機構（４）とを装備してある田植機において、」（特許請求の範囲（１））、
「この種の田植機では、植付け作業時において、本機の左右傾動に拘らず植付け装置の対泥面姿勢をほぼ一定に保持して、左右横方向での植付け深さの安定化を図ることができる」（１頁右下欄１８行〜２頁左上欄１行）の記載がある。
　参考資料２（特開昭５６−１３７８０８号公報）には、
「乗用車体にローリング可能状態で植付作業機を装備し、・・・乗用型作業機。」（特許請求の範囲）、
「乗用車体が耕盤の凹凸によりローリングや、ピッチングを生じた場合でも、その動揺が植付作業機に影響を及ぼさないようになしている。」（１頁右下欄３〜６行）、
「上下のリンクを連結するフレーム１８からローリング機構を構成するローリング軸１９が延出されている。」（２頁左上欄１６〜１８行）の記載がある。
　参考資料３（特開昭５７−１９８０１４号公報）には、
「・・・前記苗植付装置の前記各苗植付け機能を中止する苗植付け停止機構と、その苗植付け停止機構を有する苗植付装置に対応する施肥装置の施肥停止機構とを、苗植付け停止操作に連動して施肥停止されるよう互いに連動連結してなる施肥装置付き田植機。」（特許請求の範囲）の記載がある。
　参考資料４（実開昭５６−１７３０１２号公報）には、
　「肥料を連続的に施すべく植付田面に溝切する作溝板を、植付部のフロートに左右移動調節自在に支持固定するように構成したことを特徴とする乗用田植機用施肥装置。」（実用新案登録請求の範囲）の記載がある。
　参考資料５（実開昭５８−５９４１０号公報）には、
　「機体の前部又は後部に植付け装置Ｂを連設し、この植付け装置Ｂよりも機体側に寄った位置に施肥装置Ｃを配設してある乗用型施肥田植機において、」（実用新案登録請求の範囲）の記載がある。
　参考資料６（実開昭５８−３８２２０号公報）には、
　「複数個の苗植付機構７・・・の駆動を複数個のグループに分けて各別に断続操作可能な伝動クラッチ２５・・・を設け、前記各苗植付機構７・・・の夫々にて植えられた苗に薬剤を供給するための薬剤送り出し具２８の複数個を設けた田植機であって、」（実用新案登録請求の範囲）の記載がある。
　
 ハ）対比・判断
　本件発明と先願発明とを対比すると、上記「２.訂正の適否」の「ニ）独立特許要件について」の「（対比・判断）」の項において述べたとおり、本件発明が少なくとも、「肥料送出装置により送り出された肥料を移送する移送ホースが、本件発明は、重力と風力により運んで圃場に向けて移送し、移送ホースの前端部を肥料送出装置から送り出された肥料を移送ホース内に導く送込装置の機体側面視で前後に延びる接続管の後端部に接続して、ここから移送ホースを機体後方に延出するように構成した」構成を有するものであるのに対し、先願発明はこのような構成を有していない点で相違し、又、参考資料１、２には、田植装置を車体後部にローリング動可能に装着した施肥装置付き乗用型田植機が、参考資料３〜６には、苗の植付けと同時に施肥を行う施肥装置を設けた乗用型田植機に関する事項が、それぞれ記載されているにすぎないから、これらの参考資料１〜６記載の事項が周知であったとしても、参考資料１〜６には上記相違点の本件発明に関する構成が記載されていない以上、本件発明が先願発明と同一ということはできない。
　
ニ）むすび
 　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年５月１２日（２０００．５．１２）
【訂正の要旨】
訂正の要旨
　本件訂正は、特許請求の範囲の減縮及び明りょうでない記載の釈明を目的として、願書に添付された明細書の記載を下記１）〜３）のように訂正するものである。
　１）訂正前の特許明細書の特許請求の範囲の「該肥料送出装置１４により送り出された肥料を移送する移送ホース７６と・・・肥料送出装置１４から送り出された肥料が送り込まれる移送ホース７６の前端部を機体側面視で後輪５の上端位置より上方に位置させてここから移送ホース７６を機体後方に延出する構成とし、」との記載を、「該肥料送出装置１４により送り出された肥料を重力と風力により運んで圃場に向けて移送する移送ホース７６と・・・肥料送出装置１４から送り出された肥料が送り込まれる移送ホース７６の前端部を機体側面視で後輪５の上端位置より上方に位置させ、該移送ホース７６の前端部を肥料送出装置１４から送り出された肥料を移送ホース７６内に導く送込装置７５の機体側面視で前後に延びる接続管７９の後端部に接続して、ここから移送ホース７６を機体後方に延出する構成とし、」と訂正する。
　２）訂正前の特許明細書の段落【０００３】の【課題を解決するための手段】の項の「該肥料送出装置１４により送り出された肥料を移送する移送ホース７６と・・・肥料送出装置１４から送り出された肥料が送り込まれる移送ホース７６の前端部を機体側面視で後輪５の上端位置より上方に位置させてここから移送ホース７６を機体後方に延出する構成とし、」との記載を、「該肥料送出装置１４により送り出された肥料を重力と風力により運んで圃場に向けて移送する移送ホース７６と・・・肥料送出装置１４から送り出された肥料が送り込まれる移送ホース７６の前端部を機体側面視で後輪５の上端位置より上方に位置させ、該移送ホース７６の前端部を肥料送出装置１４から送り出された肥料を移送ホース７６内に導く送込装置７５の機体側面視で前後に延びる接続管７９の後端部に接続して、ここから移送ホース７６を機体後方に延出する構成とし、」と訂正する。
　３）訂正前の特許明細書の段落【０００４】の【発明の作用及び効果】の項の「肥料送出装置１４から送り出された肥料が送り込まれる移送ホース７６の前端部を機体側面視で後輪５の上端位置より上方に位置させてここから移送ホース７６を機体後方に延出する構成とし、」との記載を、「肥料送出装置１４から送り出された肥料が送り込まれる移送ホース７６の前端部を機体側面視で後輪５の上端位置より上方に位置させ、該移送ホース７６の前端部を肥料送出装置１４から送り出された肥料を移送ホース７６内に導く送込装置７５の機体側面視で前後に延びる接続管７９の後端部に接続して、ここから移送ホース７６を機体後方に延出する構成とし、」と訂正する。
（５４）【発明の名称】
施肥装置付き乗用型田植機
（５７）【特許請求の範囲】
　１．前輪６と後輪５を備えた乗用型走行車体１の後部にローリング動可能に田植装置４０を装着した乗用型田植機に、肥料タンク１３と該肥料タンク１３から肥料を所定量づつ送り出す肥料送出装置１４と該肥料送出装置１４により送り出された肥料を
重力と風力により運んで圃場に向けて
、該移送ホース７６の前端部を肥料送出装置１４から送り出された肥料を移送ホース７６内に導く送込装置７５の機体側面視で前後に延びる接続管７９の後端部に接続して、
【発明の詳細な説明】
　【０００１】
　【産業上の利用分野】
　この発明は、施肥装置を装着した乗用型田植機に関するものである。
　【０００２】
　【従来技術とその課題】
　この種の従来例としては、特開昭５７−１９８０１４号公報に示すように、田植装置に施肥部を配置し、乗用型走行車体の後部に肥料タンクと肥料送出装置を配置し、移送ホースで肥料送出装置から施肥部に肥料を移送する構成とした施肥装置付き乗用型田植機があった。しかし、上記従来例は、移送ホースが機体側面視で乗用型走行車体の後輪とオーバーラップするよう設けられているので、機体平面視で後輪の左右近傍に位置する移送ホースは、田植装置がローリング動した場合に、後輪に接触する恐れがある。
　【０００３】
　【課題を解決するための手段】
　この発明は、上記課題を解決すべく、前輪６と後輪５を備えた乗用型走行車体１の後部にローリング動可能に田植装置４０を装着した乗用型田植機に、肥料タンク１３と該肥料タンク１３から肥料を所定量づつ送り出す肥料送出装置１４と該肥料送出装置１４により送り出された肥料を
重力と風力により運んで圃場に向けて
、該移送ホース７６の前端部を肥料送出装置１４から送り出された肥料を移送ホース７６内に導く送込装置７５の機体側面視で前後に延びる接続管７９の後端部に接続して、
　【０００４】
　【発明の作用及び効果】
　この発明は、肥料送出装置１４から送り出された肥料が送り込まれる移送ホース７６の前端部を機体側面視で後輪５の上端位置より上方に位置させ
、該移送ホース７６の前端部を肥料送出装置１４から送り出された肥料を移送ホース７６内に導く送込装置７５の機体側面視で前後に延びる接続管７９の後端部に接続して、
　【０００５】
　【実施例】
　第１図は本発明にかかる施肥装置付き乗用型田植機の一実施例を示す側面図、第２図はその平面図であり、乗用型走行車体１のミッションケース２の前部にエンジン３が設置され、ミッションケース２の左右両側には後方へ突出するチェーンケース４が設けられている。チェーンケース４の後端部には後輪５が軸支されており、車体の前部には前輪６が変更可能に設けられている。そして、車体上にはエンジン３を覆うボンネット７及び車体の外周部にステップ部を有する車体カバー９を設け、該車体カバー９の後部には上方に立ち上がった立上り部９ａを設けてその上部に運転座席１０を配設し、平面視コ型のシートフレーム１１によって後輪５の上方に支持している。
　【０００６】
　この運転座席１０の側方で該座席と後述の田植装置４０との間の位置には、肥料タンク１３とともに施肥装置の本体を構成する肥料送出装置１４が設けられている。肥料送出装置１４は、外周面上に溝１５ａが形成された送出ロール１５，１５をそなえ、この送出ロール１５の回転によって肥料タンク１３内の粒状肥料を適量づつホッパ１６内へ送り込むように構成されている。肥料送出装置１４は図示しない支持フレームよって車体に取り付けられており、両側の肥料送出装置１４，１４が座席後方を通した１本の回転軸１７によって互いに連結されている。
　【０００７】
　車体の後部には平行リンク装置２５が設けられている。平行リンク装置２５は、第３図に示すように前後の縦部材２６，２７と１本の上リンク２９および左右１対の下リンク３０，３０からなり、それぞれの部材が互いにピンで連結されている。上リンク２９には下向きの突起３１が設けられ、この突起３１が昇降装置３２の油圧シリンダ３３によってミッションケース２と連結されている。前縦部材２６の下端部は、左右のチェーンケース４，４を連結する連結パイプ３５に枢着されている。平行リンク装置２５の後端部には、ローリング軸３７を介して４条植えの田植装置４０が連結されている。昇降装置３２の油圧シリンダ３３を伸縮することにより、この田植装置４０を上下に移動させることができる。また、田植装置４０はローリング軸の回転によって左右に自在に回動することができる。
　【０００８】
　田植装置４０は、田植機枠を兼ねる伝動ケース４１をそなえ、該伝動ケース４１の上方に苗載置台４２が前側が上位となるように領斜させた状態で左右に往復動自在に取り付けられている。４３は支柱４３ａによって支持されたガイドレールであり、苗載置台４２はこのガイドレール４３に沿って左右に移動する。伝動ケース４１の後部には、先端に苗植付爪４４を固着した苗植付杆４５と、該植付杆４５をその先端部が楕円軌道を描いて上下に揺動するように駆動する揺動クランク４６をそなえた植付装置４７が設けられている。また、伝動ケース４１の下方には、中央フロート５０と左右１対の側部フロート５１，５１がそれぞれ上下方向に回動可能に設けられている。５２は中央フロート５０の上下位置を検知する検知油圧バルブであって、中央フロート５０が上動して、この油圧バルブ５２のスプールを押し上げると、前記油圧シリンダ３３のピストンロッド３３ａが突出し、逆に中央フロート５０が下向きに回動すると、上記ピストンロッド３３ａが引込むように構成されている。
　【０００９】
　田植装置４０の動力は、前記ミッションケース２から自在継手を介して伝動ケース４１内の伝動装置に伝えられ、苗載置台４２の横移動装置５４と植付装置４７を駆動する。苗載置台４２は、４個の植付杆４５に対応して４区に区分されている。作業中はそれぞれの区分に土付平板状の苗マットが載置され、苗載置台４２の横移動とともに植付杆４５が苗マットの下端部から１株分づつ苗を受け取り、圃暢に植え付けてゆく。苗載置台４２が左右の移動範囲の端部に達したときは、縦送り装置によって苗マットが下方へ送られ、引続き植付けが行われる。なお、車体前部の両側部には、下端部が車体に固着された支柱５７によって支持された予備苗載置台５８が設けられている。
　【００１０】
　ここで、前記肥料タンク１３から所定量づつ肥料送出装置１４にて送り出された肥料を案内移送する肥料移送部について説明する。車体の前部のエンジン設置位置の側面部には、送風機６０が取り付けられている。送風機６０としては、図示例ではターボファンが使用されており、エンジン３の出力軸３ａからプーリ６１，６２とベルト６３を介して取り出された動力により回転してエアホース６４を通してエアを供給する。プーリ６１，６２間にはテンションプーリ６５が設けられており、常時はバネ６６によってベルト６３に押し付けられ、ベルト６３に張力を付加しているが、バネ６６に抗してテンションプーリ６５を持ち上げれば、ベルト６３が弛んで送風機６０への動力の伝達が断たれるように構成されている。
　【００１１】
　エアホース６４はステップ部材９の下側を通って、シートフレーム１１内に設置されているエアタンク７０に接続されている。シートフレーム１１はエアタンク７０保護用の囲いとして働く。エアタンク７０の４個の吐出口７１，７１…は、シートフレーム１１の側部に設けた穴から取り出したエアホース７２，７２…によってそれぞれ前記肥料送出装置１４のホッパ１６の直下部に設けた送込装置７５に接続されている。送込装置７５は、肥料送出装置１４によって送り出されてくる肥料を移送ホース７６，７６…内に導くためのもので、ホッパ１６の出口に臨む受器７７と接続管７９からなる。接続管７９の両端部にはエアーホース７２と移送ホース７６がそれぞれ接続され、外周部には受器７７が接続される。
　【００１２】
　次に、圃場に肥料を施す施肥部について説明する。移送ホース７６の下端部は、圃場に対する施肥部としての作溝器８０の内側に固定した排出口８１に接続されている。作溝器８０は、２枚の側板８０ａ，８０ｂと底板８０ｃによって舟方に形成され、前部に一体に立設した支持板８２によって上下位置調節可能に伝動ケース４１に取り付けられている。この作溝器８０は、その穴部がフロート５０（５１）の底面よりも下位となるよりに支持され、田植機体の進行とともに圃場に施肥用の溝を成形してゆく。
　【００１３】
　更に、前記肥料送出装置１４に動力を伝達するための動力伝達装置９０について説明すれば、前記ミッションケース２の後部に伝動軸９１が突設され、軸受９２から後方に突出した端部が自在継手９３を介して田植装置の入力軸９４に連結されている。伝動軸９１から入力軸９４に伝達された回動動力は、傘歯車装置９５、プーリ９６，９７およびベルト９８を介して伝動ケース４１内の伝動装置に伝達され、田植装置４０を駆動する。
　【００１４】
　一方、前記伝動軸９１の、ミッションケース２と軸受９２に挾まれた中間部には鎖車１００が取り付けられている。また、伝動軸９１の上方には、該伝動軸９１に平行に従動軸１０１が設けられており、この従動軸の、シートフレーム１１内に位置する前端部に設けた鎖車１０２が前記伝動軸９１の鎖車１００とチェーン１０３で結ばれている。従動軸１０１の後端部は傘歯車装置１０５に接続されている。この傘歯車装置１０５は傘歯車１０６，１０７を介して回転動力を肥料送出装置入力軸１０９に伝達するもので、内部にクラッチ１１０が設けられている。クラッチ１１０はバネ１１１によって、入力軸１０９側に摺動自在に設けられている傘歯車１０７を他方の傘歯車１０６に噛合させる方向に付勢しているが、バネ１１１に抗してクラッチ１１０を後退させれば、両傘歯車１０６，１０７の噛合が解かれ、入力軸１０９への動力の伝達が断たれるように構成されている。
　【００１５】
　第４図は肥料送出装置駆動用のギヤボックス１１５の説明図であり、入力軸１０９の端部に設けられた鎖車１１６が第１の中間軸１１７の鎖車１１９とチェーン１２０で結ばれ、第１の中間軸１１７の小ギャ１２１が第２の中間軸１２２の大ギャ１２３に、また第２の中間軸１２２の小ギャ１２４が送出ロール１５用回転軸１７の大ギャ１２５にそれぞれ噛合している。傘歯車装置１０５を介して入力軸１０９に伝えられた動力は、ギャボックス１１５内のギャ列を介して回転軸１７に伝えられ、送出ロール１５を回転させる。なお、図示例では１組の肥料送出装置１４内に２側の送出ロール１５，１５’が設けられているが、他方の送出ロール１５’の回転軸１２６は、ギャ１２７，１２９の噛合を介して回転させられる。また、車体の反対側の側部に設けられている肥料送出装置１４には、上記回転軸１７によって回転動力が伝達される。
　【００１６】
　この施肥装置付き乗用型田植機の使用時には施肥タンク１３に肥料を投入し、エンジン３を起動して駆動輪である後輪５、肥料送出装置１４、送風機６０、田植装置４０等を駆動する。肥料タンク１３内の肥料は、送出ロール１５によって適量づつホッパ１６内に送り出され、送込装置７５によって移送ホース７６内に供給される。一方、移送ホース７６にはエアタンク７０からエアが供給されているので、移送ホース７６内に送り込まれた肥料は、重力と、風力によって下方へ運ばれ、作溝器８０によって圃場に形成された溝内に確実に落し込まれるのである。施肥後の溝は、フロート５０，５１によって埋められ、その近傍に植付杆４５によって苗が植えられてゆく。
　【００１７】
　この施肥装置付き乗用型田植機は、田植装置４０に動力を伝達する伝達軸９１から回転動力を取り出して肥料送出装置１４を駆動するので、肥料送出装置駆動用の特別の駆動軸等を設ける必要がなくなり、構造が簡単なものとなった。上記伝動軸９１は、座席支持用のシートフレーム１１内に配され、該シートフレーム１１内において伝動軸９１からの動力の取出しが行われるので、外観的にコンパクトに構成されるとともに、チェーンケース等の保護カバーを設けておかなくとも安全である。また、田植装置４０停止用のクラッチを切れば伝動軸９１の回転が停止し、肥料送出装置１４も同時に停止するように構成することができるので便利である。
　【００１８】
　そして、特に、肥料送出装置１４から送り出された肥料が送り込まれる移送ホース７６の前端部を機体側面視で後輪５の上端位置より上方に位置させてここから移送ホース７６を機体後方に延出する構成とし、機体平面視で後輪５の左右近傍に位置する移送ホース７６は機体側面視で後輪５の外周上方に位置する構成としたから、機体平面視で後輪５の左右近傍に位置する移送ホース７６は、田植装置４０がローリング動しても後輪５に接触しにくくなって、田植装置４０に施肥部８０を配置し、乗用型走行車体１の後部に肥料タンク１３と肥料送出装置１４を配置した前後バランスの良い施肥装置付き乗用型田植機をコンパクトに構成できる。
　【００１９】
　尚、上記の施肥装置を薬剤散布装置等として利用することができることは明らかである。
【図面の簡単な説明】
　【図１】　施肥装置付き乗用型田植機の全体側面図
　【図２】　施肥装置付き乗用型田植機の全体平面図
　【図３】　平行リンク装置の説明図
　【図４】　ギヤボックスの説明図
　【符号の説明】
　１：乗用型走行車体　５：後輪
　６：前輪　　　　　　１３：肥料タンク
　１４：肥料送出装置　４０：田植装置
　７６：移送ホース　　８０：施肥部（作溝器）